(57)【特許請求の範囲】
【請求項１】
基板と、配線と、認証パターンとを含む３次元積層配線基板であって、
前記配線は、前記基板に電気絶縁して設けられており、
前記認証パターンは、前記基板に設けられ、前記配線及び前記基板から識別できる材質、形状、配置、構造又は寸法を有し、
前記配線は、電気絶縁部によって支持され前記基板の厚み方向に延びる導体を含み、
前記認証パターンは、前記配線の前記導体と同一の材質であって、電気絶縁部によって支持され前記基板の厚み方向に延びる導体を含み、
前記認証パターンの前記電気絶縁部は、絶縁性微粒子を骨材とし、その周りをSi微粒子と有機Si化合物との反応に由来するSi-O結合によって埋めた絶縁物構造でなる、
３次元積層配線基板。
【請求項２】
３次元積層配線基板を有する電子機器であって、前記３次元積層配線基板は、請求項１に記載された３次元積層配線基板を含む、電子機器。
【請求項３】
電子機器を含む情報処理システムであって、前記電子機器は、請求項２に記載された電子機器を含む、情報処理システム。
【請求項４】
電子機器を含む情報通信システムであって、前記電子機器は、請求項２に記載された電子機器を含む、情報処理システム。
【発明の詳細な説明】
【技術分野】
【０００１】
本発明は、３次元積層配線基板、電子機器、情報処理システム、及び、情報通信システムに係る。
【背景技術】
【０００２】
各種スケールの集積回路、各種半導体素子もしくはそのチップ等の電子デバイスにおいて、３次元回路配置を実現する手法として、回路基板に多数の貫通電極を設けるＴＳＶ（Through-Silicon-Via)技術を適用し、この回路基板の複数枚を積層した３次元積層配線基板が提案されている。ＴＳＶ技術を用いた３次元積層配線基板についての先行技術文献としては、例えば、非特許文献１が知られている。
【０００３】
ところで、技術のグローバル化によって、３次元積層配線基板の製造プロセスがすべて信用できるとは限らない状況が生じている。製造プロセスにおいて、いわゆる「トロイの木馬」あるいは「バックドア」等の悪意のある回路が組み込まれる危険性がある。「トロイの木馬」とは、システムの誤動作を惹起させたり、或いは情報を持ち出す等を目的として、例えば、半導体チップ内のハードウェアを改変して不正な回路を組み込むことを指す。「バックドア」とは、例えば、コンピュータの機能を無許可で利用するために、コンピュータ内に密かに通信接続の機能を設けることを指す。
【０００４】
「トロイの木馬」あるいは「バックドア」等の悪意のある回路が組み込まれる危険性を排除するためには、回路基板のそれぞれが、正当に製造され、実装されたものであることを、外部から確認できなければならない。
【０００５】
そのような確認手段として、３次元積層構造を構成する各層のデバイスに、偽装不可能なＩＤ情報を組み込む技術（PUF  Physical Unclonable Function）が活用されている。
【０００６】
しかし、PUF技術を３次元積層構造に適用するには、情報読取系の外部接続が必要になる等、設計上の制約が多くなる等の難点を避けることができない。
【先行技術文献】
【非特許文献】
【０００７】
【非特許文献１】３次元ＬＳＩ実装のためのＴＳＶ技術の研究開発動向（科学技術動向  ２０１０年４月号）
【発明の開示】
【発明が解決しようとする課題】
【０００８】
本発明の課題は、LSIチップ等における誤作動及び情報漏洩等を防止する機能を有する電子回路システムの構築に極めて有用な先端技術を提供することである。
【０００９】
本発明の課題は、より具体的には、誤作動及び情報漏洩等の防止機能を有する電子機器構造の実現に寄与する３次元積層配線基板、電子機器、情報処理システム、及び、情報通信システムを提供することである。
【００１０】
本発明のもう一つの課題は、正当に製造され実装された真正品であることを、簡単、かつ、確実に確認し得る３次元積層配線基板、電子機器、情報処理システム、及び、情報通信システムを提供することである。
【００１１】
本発明の更にもう一つの課題は、正当に製造され実装されたものでないこと、すなわち、真正品ではなく、偽造品であることを、簡単、かつ、確実に確認し得る３次元積層配線基板、電子機器、情報処理システム、及び、情報通信システムを提供することである。
【課題を解決するための手段】
【００１２】
上述した課題を解決するため、本発明に係る３次元積層配線基板は、基板と、配線と、認証パターンとを含む。前記配線は、前記基板に電気絶縁して設けられており、前記認証パターンは、前記基板に設けられ、前記配線及び前記基板から識別できる材質、形状、配置、構造又は寸法を有する。
【００１３】
上述したように、本発明に係る３次元積層配線基板は、基板と、配線とを含み、配線は、基板に電気絶縁して設けられているから、ＴＳＶ技術を適用し、３次元積層構造の実現に寄与することができる。
【００１４】
更に、本発明に係る３次元積層配線基板は、認証パターンを含む。この認証パターンは、前記基板に設けられ、前記配線及び前記基板から識別できる材質、形状、配置、構造又は寸法を有する。このような認証パターンは、外部観察によって、基板、配線、及び、絶縁部から区別して、確認することができる。よって、正当に製造され、実装された３次元積層配線基板であること、すなわち、真正の３次元積層配線基板であることを、外部観察によって、簡単、かつ、確実に確認し得る。
【００１５】
これは、正当に、製造もしくは実装されたものでないこと、すなわち、真正品ではなく、偽造品であることをも、簡単、かつ、確実に確認し得ることを意味する。認証パターンは、例えば、X線CT装置等を用いることにより、複数枚の配線基板を積層した３次元積層配線基板の状態で確認することができる。
【００１６】
本発明に係る３次元積層配線基板は、携帯によっては、そのまま電子機器として用いられ、もしくは、各種電子機器に組み込まれる。これらの電子機器は、情報処理システムや情報通信システム等の構成機器として用いられる。
【００１７】
以上を要するに、本発明によれば、ＬＳＩチップ等における誤作動及び情報漏洩等を防止する機能を有する電子回路システムの構築に極めて有用な先端技術を提供することができる。
【発明の効果】
【００１８】
上述したように、本発明によれば、次のような効果を得ることができる。
（ａ）３次元積層構造の実現に寄与する３次元積層配線基板、電子機器、情報処理システム、及び、情報通信システムを提供することができる。
（ｂ）LSIチップ等における誤作動及び情報漏洩等を防止する機能を有する電子回路システムの構築に極めて有用な先端技術を提供ことができる。
（ｃ）誤作動及び情報漏洩等の防止機能を有する電子機器構造の実現に寄与する３次元積層配線基板、電子機器、情報処理システム、及び、情報通信システムを提供することができる。
（ｄ）正当に製造され実装された真正品であることを、簡単、かつ、確実に確認し得る３次元積層配線基板、電子機器、情報処理システム、及び、情報通信システムを提供することができる。
（ｅ）正当に製造され実装されたものでないこと、すなわち、真正品ではなく、偽造品であることを、簡単、かつ、確実に確認し得る３次元積層配線基板、電子機器、情報処理システム、及び、情報通信システムを提供することができる。
【００１９】
本発明の他の目的、構成及び利点については、添付図面を参照し、更に詳しく説明する。但し、添付図面は、単なる例示に過ぎない。
【図面の簡単な説明】
【００２０】
【図１】本発明に係る３次元積層配線基板に用いられる配線基板の一部を示す斜視図である。
【図２】本発明に係る３次元積層配線基板に用いられる認証パターンの一例を拡大して示す斜視図である。
【図３】本発明に係る３次元積層配線基板に用いられる配線の一例を拡大して示す斜視図である。
【図４】本発明に係る３次元積層配線基板に用いられる配線の一例を拡大して示す断面図である。
【図５】本発明に係る３次元積層配線基板に用いられる認証パターンの別の形態を示す図である。
【図６】本発明に係る３次元積層配線基板に用いられる配線基板の別の実施形態の一部を示す斜視図である。
【図７】図1〜図6に示した配線基板について、X線CT装置による認証パターン確認を説明する斜視図である。
【図８】本発明に係る３次元積層配線基板を示す斜視図である。
【図９】図８の３次元積層配線基板又は電子機器の正面図である。
【図１０】図８〜図９に示した３次元積層配線基板について、X線CT装置による認証パターン確認を説明する斜視図である。
【図１１】本発明に係る情報処理システム及び情報通信システムを示す図である。
【発明を実施するための形態】
【００２１】
１．配線基板
図１〜図４を参照すると、本発明に係る３次元積層配線基板に用いられる配線基板の一部が示されている。図示された配線基板は、基板１と、配線３１１〜３２６による配線パターンＰ１１〜Ｐｎｍと、認証パターンＱとを含む。
【００２２】
基板１は、厚みＴ１が例えば５０μｍ以下のＳｉ基板又はＳｉＣ基板等でなる半導体基板であり、厚みＴ１１の基板層１０１と、厚みＴ１２の半導体形成層１０２とを有する。半導体形成層１０２は、図３にも図示するように、内部に半導体回路部３７１、３７２を有している。半導体回路部３７１、３７２の少なくとも一部は、基板１の一面１１１とは反対側の他面１１２に設けられた電極３８１、３８２に接続される。電極３８１、３８２には、必要により、バンプ３６１、３６２が形成される。
【００２３】
配線パターンＰ１１〜Ｐｎｍのそれぞれは、絶縁部５１とともに、絶縁部５１の面内に狭ピッチｄ１、ｄ２で配置された複数ｎ＝１６の配線３１１〜３２６を有する。数ｎは、任意数である。
【００２４】
絶縁部５１は、基板１の一面１１１に形成された微細空間１２１に充填されている。この絶縁部５１は、好ましくは、絶縁性微粒子と、Si微粒子と、液状の有機Si化合物とを含む絶縁ペーストを、基板１の厚み方向に形成された溝又は孔等（微細空間と称することがある）１２１の内部に充填し、硬化させて形成したものである。絶縁ペーストを、微細空間１２１の内部に充填し、熱処理すると、Si微粒子と有機Si化合物との反応によりSi-O結合が形成され、絶縁性微粒子を骨材とし、その周りをSi-O結合によって埋めた絶縁物構造が得られる。絶縁性微粒子及びSi微粒子は、ナノメータ  サイズ（１μｍ以下）の粒径を有する。もっとも、絶縁性微粒子及びSi微粒子は、その粒径が均一である必要はなく、上述したナノメータ  サイズの領域内で、異なる粒径のものを含むことができる。
【００２５】
配線３１１〜３２６は、基板１の厚みＴ１の方向に沿って延びていて、一端が、基板１の一面１１１の側において、絶縁層５１の表面に露出し、露出する端面にバンプ３５１、３５２が接合されている。配線３１１〜３２６は、他端が、基板１の底面１１２に露出する貫通導体であってもよいし、基板１の内部に留まっている非貫通導体であってもよい。図には現れていないが、基板１の表面又は内部に、横配線が設けられることもある。
【００２６】
配線３１１〜３２６は、この実施の形態では、平面４角形状であるが、他の多角形状又は円形状であってもよい。また、４行４列のマトリクス状に配列されているが、行列数は任意でよい。配線３１１〜３２６は、メッキ法、溶融金属充填法又は導電ペースト充填法など、公知技術の適用によって形成することができる。配線３１１〜３２６のディメンションは、一例として例示すると、配置ピッチｄ１、ｄ２が4〜１００μｍの範囲、径が０．５〜２５μｍの範囲である。もっとも、配置ピッチは、一定寸法である必要はないし、径も上述した値に限定されるものではない。
【００２７】
図示の配線基板では、絶縁部５１は、基板１の厚み方向に形成された溝又は孔等の微細空間１２１の内部に充填された絶縁物でなるから、絶縁部５１はSi基板等でなる基板１と一体化される。
【００２８】
複数の配線３１１〜３２６は、Si基板等でなる半導体基板と一体化された絶縁部５１の面内に狭ピッチｄ１、ｄ２で配置され、かつ、厚み方向に延びる溝又は孔等の微細空間の内部に充填されている。従って、複数の配線３１１〜３２６のそれぞれは、一つの絶縁部５１によって、共通に支持され、相互に電気絶縁されるとともに、基板１からも電気絶縁される。この電気絶縁物構造は、複数の配線３１１〜３２６を個別的に電気絶縁して基板１に配置する場合と比較して、３次元配線間のピッチｄ１、ｄ２を、例えば、４μｍ以下というように、著しく縮小することができる。よって、狭ピッチTSV配置、構造を持つ３次元配線基板を実現することができる。
【００２９】
配線３１１〜３２６は、Ａｇ、Ｃｕ、Ａｕ、Ｐｔ、Ｔｉ、Ｚｎ、Ａｌ、Ｆｅ、Ｂ、Ｓｉ及びＮｉの群から選択された少なくとも１種と、Ｓｎ、Ｉｎ、Ｂｉ、Ｇａの群から選択された少なくとも１種を含むことができる。第１群は、高融点金属材料であり、第２群は低融点金属材料である。
【００３０】
配線３１１〜３２６の個数、形状、及び、配置等は、合理的な信号伝送経路の画定、信号伝送路として要求される電気的特性の充足等の種々の観点から選択される設計的事項である。
【００３１】
次に、認証パターンＱは、基板１に設けられ、配線３１１〜３２６、絶縁部５１、５２及び基板１から識別できる材質、形状、配置、構造又は寸法を有する。実施の形態に示す認証パターンＱは、金属又は合金材料からなり、材質的には基板１と異なる。具体的には、配線３１１〜３２６と同じ材料を用いることができる。もっとも、認証パターンＱは、配線３１１〜３２６及び基板１から識別できればよいので、必ずしも、金属又は合金の材料である必要はない。セラミック材料、セラミック材料と有機材料とを混合した複合材、又は、それらと金属もしくは合金材料との複合材であってもよい。
【００３２】
実施の形態に示す認証パターンＱは、基板１の一面１１１に設けられた微細空間１２２に充填された絶縁部５２の内部に形成されている。この絶縁部５２は、配線パターンＰ１１〜Ｐｎｍの絶縁部５１と同じ材料によって構成することができるし、異なる材料によって構成することもできる。
【００３３】
認証パターンＱは、絶縁部５２の内部に、第１パターン要素３３１〜第５パターン要素３３５を形成した構造になっている。第１パターン要素３３１〜第５パターン要素３３５は、形状、配置、構造及び寸法の点で、配線３１１〜３２６とは異なる。配線３１１〜３２６は、その全てが、ほぼ同じ平面４角形状であるが、認証パターンＱは、これとは異なって、第１パターン要素３３１が平面Ｌ形状、第２パターン要素３３２が平面４角形状、第３パターン要素３３３が平面クランク形状、第４パターン要素３３４が平面４角形状、第５パターン要素３３５が平面長方形状である。第１パターン要素３３１〜第５パターン要素３３５の配置間隔（ピッチ）は、例えば、数μｍ以下であることが好ましい。
【００３４】
第１パターン要素３３１〜第５パターン要素３３５の形状、配置、構造又は寸法等は、配線３１１〜３２６から識別できることを前提に、任意に設定変更することができる。例えば、クランク状、十字状、Ｔ状、折れ線状又はそれらの組合せ等、様々な形状、配置、構造を採ることができる。
【００３５】
ほんの一例であるが、図５には、図４との対比において、長い平面形状を持つ３つの第１パターン要素３３１〜３３３によって構成された認証パターンＱが示されている。
【００３６】
更に、認証パターンＱは、一つの配線基板において、複数設けることもできる。例えば、図６に例示するように、複数の認証パターンＱを適当な間隔をおいて配置してもよい。
【００３７】
上述したように、認証パターンＱは、基板１に設けられ、配線３１１〜３２６及び基板１から識別できる材質、形状、配置、構造又は寸法を有する。このような認証パターンＱは、外部観察によって、基板１及び配線３１１〜３２６から区別して、確認することができる。
【００３８】
外部観察の手段としては、例えば、X線CT装置を用いることができる。図７は、認証パターンＱを構成する第１パターン要素３３１〜第５パターン要素３３５を、配線３１１〜３２６と同じ金属又は合金材料によって構成した場合に想定されるX線CT画像を示している。これによって、正当に製造され、実装された真正の配線基板であることを、認証パターンＱの外部観察によって、簡単、かつ、確実に確認し得る。これは、正当に、製造もしくは実装されたものでないこと、即ち、真正品ではなく、偽造品であることをも、簡単、かつ、確実に確認し得ることを意味する。
【００３９】
２．３次元積層配線基板及び電子機器
本発明に係る３次元積層配線基板は、上述した配線基板を、必要枚数積層して構成される。この３次元積層配線基板は、電子機器の構成要素として用いることができる。このような電子機器は、代表的には、３次元システム・パッケージ（３D-SiP)としての形態をとるシステムLSI、メモリLSI、DRAMのようなメモリ回路、CPUのようなロジック回路、通信回路、MEMS等を含むことができる。デジタル回路のみならず、アナログ回路を含む電子デバイスであってもよい。更に、上述した電子デバイスを内蔵する電子機器、例えば、MPU、パーソナル・コンピュータ、スーパーコンピュータ、携帯電話機、車載機器等、凡そ、電子回路を機能要素とする電子機器、電子デバイスのほとんどのものが含まれ得る。
【００４０】
図８は、３D-SiPの形態をとる３次元積層配線基板の一例を示し、図１〜図７の何れかに示した複数枚ｎの配線基板１３１〜１３ｎを順次に積層したパッケージである。
【００４１】
組立完了形としては、図９に示すように、下面にボール・グリッド・アレイ１３を配置したパッケージ基板１７の上面に、図８に示したように、配線基板１３１〜１３ｎを順次に配置し、接合９１〜９ｎした構造をとることができる。このパッケージの状態でも、例えば、X線CT装置等を用いることにより、図１０に示すように、認証パターンＱの存在、不存在を確認することができる。
【００４２】
３．情報処理システム及び情報通信システム
図１１は、本発明に係る情報処理システム及び情報通信システムを図示している。情報処理システムとは、電子計算機及びプログラムの集合体であって、情報処理の業務を一体的に行うよう構成されたものをいう。情報通信システムとは、情報処理システムとともに、通信装置及びネットワークを含み、情報の送受信を行うシステムをいう。図示の情報処理システムは、複数ｎの端末装置１７１〜１７ｎによって構成されており、情報通信システムは、上述した端末装置１７１〜１７ｎとともに、ネットワーク１９を含んで構成されている。
【００４３】
端末装置１７１〜１７ｎには、パーソナル・コンピュータ、携帯電話機、タブレット等が含まれる他、各種センサ等も含まれる。ネットワーク１９には、インターネットの他、車載ローカル・エリア・ネットワーク等で代表されるLAN（Local Area Network)も含まれる。そのほか、例えば、プリンタ、ファクシミリ、電話、スキャンなどが接続されるパーソナル・エリア・ネットワークであってもよい。
【００４４】
本発明に係る情報処理システム及び情報通信システムは、正当に製造され実装されたものであることが確認された３次元配線基板及び電子機器で構成されているから、いわゆる「トロイの木馬」あるいは「バックドア」等の悪意のある回路が組み込まれる危険性を回避し、高度の安全性を確保し得る。
【００４５】
以上、好ましい実施例を参照して本発明を詳細に説明したが、本発明はこれらに限定されるものではなく、当業者であれば、その基本的技術思想および教示に基づき、種々の変形例を想到できることは自明である。
【符号の説明】
【００４６】
１              基板
３１１〜３１６  配線
Ｑ              認証マーク
【図１】
0005993910.tif 000002
【図２】
0005993910.tif 000003
【図３】
0005993910.tif 000004
【図４】
0005993910.tif 000005
【図５】
0005993910.tif 000006
【図６】
0005993910.tif 000007
【図７】
0005993910.tif 000008
【図８】
0005993910.tif 000009
【図９】
0005993910.tif 000010
【図１０】
0005993910.tif 000011
【図１１】
0005993910.tif 000012